(57)【特許請求の範囲】
【請求項１】
地面上に水平に張設された保持ワイヤに係止して高設栽培装置を形成するための栽培用容器であって、多数の微小貫通孔を全面的または部分的に配列した有孔フィルムを袋状に形成し、前記保持ワイヤに係止するため、前記袋状の開口部に着脱可能なリング状本体部と、前記リング状本体部から突出して形成された鉤状係止部とを備えたフック部材を前記開口部に設けた栽培用容器。
【請求項２】
地面上に水平に張設された保持ワイヤに係止して高設栽培装置を形成するための栽培用容器であって、多数の微小貫通孔を全面的または部分的に配列した有孔フィルムとフィルム自体が通気性を有する通気性フィルムとからなるラミネートフィルムを袋状に形成し、前記保持ワイヤに係止するため、前記袋状の開口部に着脱可能なリング状本体部と、前記リング状本体部から突出して形成された鉤状係止部とを備えたフック部材を前記開口部に設けた栽培用容器。
【請求項３】
前記有孔フィルムと前記通気性フィルムの少なくとも一方が遮光性フィルムである請求項１または２記載の栽培用容器。
【発明の詳細な説明】
【０００１】
【発明の属する技術分野】
本発明は、苺、葉物野菜、花卉類、芋類などの植物を地面より高い位置で栽培するための栽培用容器に関する。
【０００２】
【従来の技術】
苺や葉物野菜などを栽培地の地表面に形成した畝に沿って苗を植えて生育させる、いわゆる土耕栽培においては、育苗から収穫に至るまでの一連の作業は中腰やしゃがんだ姿勢での作業が多く、特に定植時は苗の運搬などの重労働を伴うため、作業者の肉体的負担は非常に大きなものとなっている。
【０００３】
そこで、このような過酷な労働条件を改善するため、図５に示すように、培土９１および苗９２を収容した栽培用容器９３を地面９４より高い位置に保持して栽培を行う高設栽培装置９０が開発されている。高設栽培装置９０は、地面９４に立設された複数の支柱９５によって水平バー材９６を保持し、これらの水平バー材９６上に、複数の補助バー材９７を一定距離を隔てて平行に取り付け、これらの補助バー９７上に保持パネル９８を装着し、保持パネル９８に形成された複数の支持孔９９にそれぞれ栽培用容器９３を挿入した構造である。
【０００４】
このような高設栽培装置９０を用いて苗９２の栽培を行うことにより、栽培期間中に必要な作業の殆どを立ち作業化することが可能となるため、栽培作業全般の効率化、労働条件の改善を図ることができる。
【０００５】
【発明が解決しようとする課題】
図５に示す高設栽培装置９０においては、複数の栽培用容器９３を地面９４より高い位置に保持する手段として、保持パネル９８、水平バー材９６、補助バー材７９および支柱９５などが設けられているが、培土９１および苗９２を収容した栽培用容器９３や保持パネル９８などの重量がかなり重いので、これらを支える補助バー材９７、水平バー材９６および支柱９５などを頑丈にする必要があり、各部材の肥大化、全体重量の増大を招いている。
【０００６】
このような部材の肥大化、全体重量の増大は、高設栽培装置９０の構成部材を栽培地まで運搬する際の負担を増大させるだけでなく、設置作業の負担も増大させている。また、栽培期間終了後、高設栽培装置９０を解体、撤収する必要がある場合、これらの作業の負担も大きく、撤収した各種部材の保管にも大きなスペースが必要である。
【０００７】
また、高設栽培装置９０において、栽培用容器９３の排水孔は下端部分に設けられているだけで、収容された培土９１の排水性、通気性が悪いので、苗９２の根の生育に必要な空気が培土全体に充分に供給されず、根の伸長が阻害されたり、予測していた収穫量が得られないことがある。
【０００８】
さらに、栽培用容器９３の配列間隔は、保持パネル９８の支持孔９９の配列間隔で決定され、保持パネル９８を変えない限り不変であるため、栽培する植物の種類に応じて臨機応変に株間距離を設定したり、成長状況に合わせて徐々に株間距離を変更していくことなどは不可能である。
【０００９】
一方、芋類や根菜類を土耕栽培した場合、収穫時期には、畝を掘り起こして作物を収穫しなければならないので、このような作業に多大な時間と労力が費やされ、作業者の肉体的負担も大である。また、畝を掘り起こす際に使用する農機具などで作物を傷つけることがあり、商品価値を低下させている。
【００１０】
本発明が解決しようとする課題は、通気性、排水性が良好で植物の生育を促進させ、芋類などの収穫作業を簡略化することができ、高設栽培装置の構成部材として使用した場合でも運搬、組み立て、撤収作業などの負担を軽減し、保管スペースの削減を図ることができる栽培用容器を提供することにある。
【００１１】
【課題を解決するための手段】
本発明の栽培用容器は、多数の微小貫通孔を全面的または部分的に配列した有孔フィルムを袋状に形成した栽培用容器である。また、前記有孔フィルムとフィルム自体が通気性を有する通気性フィルムとからなるラミネートフィルムを袋状に形成した栽培用容器とすることもできる。
【００１２】
このような構成とすることにより、栽培用容器に充填された培土は、有孔フィルムに存在する多数の微小貫通孔で適切な通気性、排水性を確保でき、通気性フィルムをラミネートした場合でも通気性、排水性は確保できるので、培土に植えられた植物の生育を促進させることができる。また、ラミネートフィルムの場合は、通気性フィルムが容器内の培土の流出を防止し、ラミネートフィルムとすることにより強度、耐久性も向上する。
【００１３】
ここで、有孔フィルムの微小貫通孔を全面的に配列するか、部分的に配列するかについては、栽培する植物が乾燥土壌、高湿土壌のいずれを好むか、根の伸長領域の広狭、使用する培土の保水力、作型（促成栽培型、抑制栽培型）、潅水器具の種類、潅水計画などの諸条件に応じて定めることが望ましく、微小貫通孔を部分的に配列する場合の配列領域やその広さについては、栽培する植物の種類、根の性質などのほか前述した諸条件に応じて定めることが望ましい。
【００１４】
本発明の栽培用容器は、薄くて軽量のフィルムで形成されているため、この栽培用容器を地面上に載置し、高設栽培装置の構成部材として使用した場合、運搬、組み立て、撤収作業などの負担を軽減し、保管スペースも削減することができる。有孔フィルム、通気性フィルムの素材としては、ＰＥＴ（ポリエチレンテレフタレート）、ナイロン、ポリエチレン、ポリプロピレンなどが好適である。
【００１５】
また、土中に収穫物が実る芋類、ピーナッツ、根菜類などを栽培した場合、収穫時期となったとき、栽培用容器を構成するフィルムをカッターナイフなどで切り裂くだけで、培土中の芋類などを取り出すことができるので、収穫作業を簡略化することができる。
【００１６】
また、袋状の開口部に補強部材を兼ねたフック部材を設けることにより、この栽培用容器を用いて高設栽培装置を形成する際の組み立て性、使用中の安定性などが向上する。なお、フック部材としては、袋状の開口部に着脱可能なリング状本体部と、このリング状本体部から突出して形成された鉤状係止部とを備えたものなどが好適である。
【００１７】
栽培用容器を構成する有孔フィルム、通気性フィルムの少なくとも一方を、遮光性フィルムとすれば、栽培用容器に充填された培土に太陽光が照射されるのを防止することができるので、根の生育向上を図ることができる。この場合、遮光性フィルムとして黒色フィルムなどを用いれば、遮光性のみでなく、熱吸収率も高まるので、培土の加温効果も得ることができる。
【００１８】
また、有孔フィルムの微小貫通孔の内径は特に限定されるものではなく、容器内に充填された培土が貫通孔から流出せず、植物の成長促進に必要な通気性、排水性を確保できる程度とするのが望ましい。なお、有孔フィルムと通気性フィルムとのラミネートフィルムの場合は、通気性フィルムの有する全面的通気性を植物生育に適したレベルに調節することができる。なお、ラミネートフィルムの場合に通気性フィルムを袋の内側とすれば、有孔フィルムの貫通孔の内径を大きくしても培土流出のおそれがないので、有孔フィルムのみで形成した場合より比較的大きな貫通孔を形成することが可能である。
【００１９】
また、有孔フィルムに形成される貫通孔の分布密度も限定されるものではなく、当該栽培用容器で栽培する植物が乾燥土壌を好むか、高湿土壌を好むか、根の伸長領域の広狭、使用する培土の保水力、作型（促成栽培型、抑制栽培型）、潅水器具の種類、潅水計画などの諸条件に応じて設定するすることが望ましい。
【００２０】
このように、有孔フィルムに形成される微小貫通孔の内径、分布密度については、前述した諸条件を考慮し、実際に栽培される農作物の種類に応じて定める必要があるが、例えば、２４時間の間に凡そ１０，０００ｃｃ／ｍ２前後の酸素透過量を確保できる程度の内径、分布密度とすれば、栽培用容器で栽培される植物の生育状態も良好となる。
【００２１】
【発明の実施の形態】
図１は本発明の第１実施形態の栽培用容器を示す斜視図、図２は栽培用容器の使用状態を示す斜視図、図３は栽培用容器の縦断面図である。
【００２２】
本実施形態の栽培用容器１０は、図１（ａ）に示すように、多数の貫通孔１１が全面的に配列されたポリエチレン製の有孔フィルム１２を、上端に開口部１３を有する袋状に形成してなるものであり、その開口部１３にはフック部材１４が取り付けられる。フック部材１４は合成樹脂製であり、開口部１３内に着脱可能なリング状本体部１４ａと、リング状本体部１４ａから上方へ突出して形成された鉤状係止部１４ｂとで構成されている。
【００２３】
栽培用容器１０は、図１（ｂ）に示すように、開口部１３にフック部材１４を取り付ける。このときフック部材１４には凸部（図示せず）があり、この凸部に袋本体の開口部１３に設けられた孔部（図示せず）を引っかけることによりフック部材１４から袋本体が抜け落ちないように固定する。このあと袋内部に培土１５を充填した後、栽培用容器１０の底面を地面１６に載置するとともに、地面１６上に水平に張設した保持ワイヤ１７に鉤状係止部１４ｂを引っ掛けることにより、栽培用容器１０全体を直立状態に保持することができる。
【００２４】
したがって、地面１６に立設された複数の支柱１８間に張設された保持ワイヤ１７に対し、図１（ｂ）に示す要領に基き、複数の栽培用容器１０をそれぞれのフック部材１４を介し、保持ワイヤ１７の長手方向に沿って所定間隔ごとに係止していくことによって、比較的簡単に高設栽培装置２０を形成することができ、それぞれの栽培用容器１０に充填された培土１５において苗１９を栽培することができる。フック部材１４を用いることで、組み立て性は良好であり、使用中の安定性も優れている。
【００２５】
図３に示すように、高設栽培装置２０を構成する栽培用容器１０に充填された培土１５は、有孔フィルム１２に全面的に存在する多数の貫通孔１１を通じて、培土１５中の余分な水分が排出されるとともに、新鮮な外気が培土１５中に導入されるので、常に苗１９の根１９ｒの生育に最適な通気性、排水性を確保することができ、これによって苗１９全体の生育が促進され、収穫量の増大を図ることができる。
【００２６】
また、栽培用容器１０は、薄くて軽いポリエチレン製であるので、栽培用容器１０を地面１６上で直立状態に保持する高設栽培装置２０の構成部材として使用した場合、運搬、組み立て、撤収作業などの負担を軽減し、保管スペースも削減することができる。
【００２７】
また、有孔フィルム１２は、黒色の遮光性フィルムを用いているため、内部に充填された培土１５に太陽光が直接照射するのを防止し、苗１９の根１９ｒの生育向上を図ることができ、黒色であることによって熱吸収率も高まるので、培土１５の加温効果も得ることができる。
【００２８】
また、有孔フィルム１２に全面的に配列された貫通孔１１の内径は培土の粒径より小さくしているため、栽培用容器１０内に充填された培土１５が貫通孔１１から漏出したり、排水とともに流出したりすることがなく、苗１９の根１９ｒなどの成長促進に必要な通気性、排水性を確保することができる。
【００２９】
この場合、貫通孔１１の分布密度は、貫通孔１１の内径との組み合わせで考慮する必要があり、実際に栽培用容器１０で栽培する苗１９が乾燥土壌を好むか、高湿土壌を好むかなどに応じて定めるべきであるが、本実施形態では、２４時間の間に１０，０００ｃｃ／ｃｍ２前後の酸素透過量を確保できるように設定したところ、適切な排水性、通気性が確保され、苗１９の生育状態も良好となった。
【００３０】
さらに、栽培用容器１０はフック部材１４を介して保持ワイヤ１７に係止されているので、必要に応じて栽培用容器１０の配列間隔を変更したり、特定の栽培用容器１０を撤去することができる。したがって、苗１９の種類に適した株間距離を設定したり、栽培期間中の苗１９の生育状況に応じて株間距離を変更することができるほか、伝染性の病気に罹った苗１９を栽培容器１０ごと撤去することで病気の蔓延を防止することができる。
【００３１】
次に図４を参照し、第２実施形態の栽培用容器３０について説明する。なお、図４において図１〜３と同じ符号を付している部材は、前述の栽培用容器１０の場合と同じ機能、効果を発揮するものであり、詳細な説明は省略する。
【００３２】
本実施形態の栽培用容器３０は、多数の貫通孔３１を全面的に配列した有孔フィルム３２とフィルム自体が通気性を有する通気性フィルム３３とのラミネートフィルム３４を、上端に開口部３５を有する袋状に形成してなるものである。栽培用容器３０に充填された培土１５は、有孔フィルム３２の微小貫通孔３１および通気性フィルム３３の有する通気性によって苗１９に最適な通気性、排水性を確保できるので、苗１９の生育を促進させることができる。
【００３３】
栽培用容器３０においては、内側の通気性フィルム３３が培土を通さず貫通孔３１からの培土流出を防止できるので、貫通孔３１の内径を比較的大きく設定して、通気性向上を図ることができる。また、有孔フィルム３２と通気性フィルム３３の複数層から形成されているので強度、耐久性が高い。
【００３４】
本実施形態では有孔フィルム３２の素材をＬＤＰＥ（低密度ポリエチレン）、通気性フィルム３３の素材をＰＥＴ（ポリエチレンテレフタレート）としたが、苗１９の生育に適した通気性、排水性が得られ、強度および耐久性も充分なものとなった。その他の機能、効果については、第１実施形態の栽培用容器１０と同様である。
【００３５】
栽培用容器３０は、通気性フィルム３３を内側、有孔フィルム３２を外側にした袋状に形成されているが、逆に、通気性フィルム３３を外側、有孔フィルム３２を内側にした袋状とすることもできる。また、通気性フィルム３３と有孔フィルム３２の少なくとも一方を遮光性フィルムとすることにより、第１実施形態の栽培用容器１０と同様の効果が得られる。
【００３６】
なお、栽培用容器１０，３０においてはいずれも多数の貫通孔１１，３１が全面的に配列されているが、これらに限定するものではないので、栽培する植物の種類、性質、根の習性、使用する培土、潅水方法、栽培地の気孔特性、作型（促成栽培か、抑制栽培か）、ハウス栽培か露地栽培かなどの諸条件に応じて、貫通孔を部分的に配列したものとすることもできる。
【００３７】
【発明の効果】
本発明により、以下に示す効果を奏する。
【００３８】
（１）多数の微小貫通孔を全面的または部分的に配列した有孔フィルムを袋状に形成、または、有孔フィルムとフィルム自体が通気性を有する通気性フィルムとからなるラミネートフィルムを袋状に形成して栽培用容器とすることにより、栽培用容器に充填された培土は適切な通気性、排水性を確保できるので、培土に植えられた植物の生育を促進させることができる。特にラミネートフィルムの場合は、通気性フィルムが容器内の培土の流出を防止し、ラミネートフィルムとすることにより強度、耐久性も向上する。また、高設栽培装置の構成部材として使用した場合、運搬、組み立て、撤収などの作業負担を軽減し、保管スペースの削減を図ることができる。
【００３９】
（２）袋状の開口部に、地面上に設けられた支持部材に係止するためのフック部材を設けることにより、この栽培用容器を用いて高設栽培装置を形成する際の組み立て性、使用中の安定性などが向上する。
【００４０】
（３）有孔フィルムと通気性フィルムの少なくとも一方を遮光性フィルムとすることにより、充填された培土に太陽光が直接照射するのを防止できるので、根の生育向上を図ることができる。
【図面の簡単な説明】
【図１】  第１実施形態の栽培用容器を示す斜視図である。
【図２】  図１の栽培用容器の使用状態を示す斜視図である。
【図３】  図１の栽培用容器の縦断面図である。
【図４】  第２実施形態の栽培用容器を示す一部切欠断面図である。
【図５】  従来の栽培用容器を用いた高設栽培装置を示す斜視図である。
【符号の説明】
１０，３０  栽培用容器
１１，３１  貫通孔
１２，３２  有孔フィルム
１３，３５  開口部
１４  フック部材
１４ａ  リング状本体部
１４ｂ  鉤状係止部
１５  培土
１６  地面
１７  保持ワイヤ
１８  支柱
１９  苗
１９ｒ  根
２０  高設栽培装置
３３  通気性フィルム
３４  ラミネートフィルム
【図１】
0003688216.tif 000002
【図２】
0003688216.tif 000003
【図３】
0003688216.tif 000004
【図４】
0003688216.tif 000005
【図５】
0003688216.tif 000006